(57)【要約】【課題】印刷表示媒体の光学特性を再現する表示装置を提供し、特にあたかも表示装置が紙のような印刷媒体であるかのような感覚を与える表示装置を提供する。【解決手段】表示装置において、表示パネル内の特定領域に入射する外光の光束に対して、特定領域内の画素から出射される光束が、所定の割合の拡散反射率で制御され、出射光束が入射光束と拡散反射率の積により求められる。これにより、表示装置における表示を、紙のような印刷媒体であるかのような感覚を与えることが可能となる。【選択図】図１
2020086457.tif 000002
【特許請求の範囲】
【請求項１】
表示光を放出するため２次元的に配置された画素を備えた表示パネルと、
外光を検出する少なくとも１つの光センサと、を備え、
印刷表示媒体の外光に対する拡散反射光を再現するために、
前記表示パネル内の特定領域において、前記光センサで検出される、外部から前記表示パネルの前記特定領域に入射する外光の光束に対して、前記特定領域内の画素から出射される光束が、所定の割合の拡散反射率と前記特定領域に入射する外光の光束との積により制御される
ことを特徴とする表示装置。
【請求項２】
前記拡散反射率が１以下の値となる
ことを特徴とする請求項１に記載の表示装置。
【請求項３】
前記光センサは、３原色の光を個別に検知可能であり、
前記拡散反射率は前記３原色の光ごとに定められ、
前記特定領域内の画素から出射される光束は、前記３原色の光ごとに定められた前記拡散反射率に基づいて制御される
ことを特徴とする請求項１又は２に記載の表示装置。
【請求項４】
前記光センサが２次元のアレイとして配置される
ことを特徴とする請求項１〜３のいずれかに記載の表示装置。
【請求項５】
前記光センサが、前記画素を駆動するための薄膜トランジスタが形成された後方基板の面、前方基板の内側面又は外側面、他に積層する透明基板の面のいずれかに設けられる
ことを特徴とする請求項１〜４のいずれかに記載の表示装置。
【請求項６】
前記画素の前記光センサが設けられる面に黒色吸収部が形成される
ことを特徴とする請求項５に記載の表示装置。
【請求項７】
前記光センサの受光面に３原色用のカラーフィルタが設けられる
ことを特徴とする請求項３〜６のいずれかに記載の表示装置。
【請求項８】
前記画素が、薄膜トランジスタで電圧駆動される液晶素子または有機ＥＬ素子で構成される
ことを特徴とする請求項１〜７のいずれかに記載の表示装置。
【請求項９】
前記表示パネルに反射抑制層やアンチグレア層が積層される
ことを特徴とする請求項１〜８のいずれかに記載の表示装置。
【請求項１０】
前記画素の放射光強度の角度依存性が、ランベルトの余弦法則に基づき、完全拡散板の均等拡散分布になる、もしくは輝度の半値角が１２０°以上で、基板面垂直方向からなだらかに減少する配光分布を有する
ことを特徴とする請求項１〜９のいずれかに記載の表示装置。
【請求項１１】
液晶素子に用いられるバックライトの配向特性が、完全拡散板の均等拡散分布になる、もしくは輝度の半値画が４０°以上で、基板面垂直方向からなだらかに減少する
ことを特徴とする請求項１〜１０のいずれかに記載の表示装置。
【発明の詳細な説明】
【技術分野】
【０００１】
本発明は表示装置に関し、特に印刷表示媒体の拡散反射光を再現する表示装置に関する。
【０００２】
従来より、液晶表示装置や有機ＥＬ表示装置等の表示装置が知られている。これらの表示装置においては、表示の輝度を外光の照度に応じて制御する方法も知られている。
バックライトを用いた液晶ディスプレイなどの従来の表示装置では、周囲が明るいときに視認性を高めるため輝度を高める一方、周囲が暗いときにはぎらつき感を無くすため輝度を下げる方法が一般的である。また、さらに暗所では、省電力の観点からも輝度を押さえることが求められている。
【０００３】
一方、コピー紙、写真、カレンダーなど紙の印刷表示媒体の光学特性に似た表示を行うような、電気泳動ディスプレイや反射型液晶ディスプレイなどの、外光などの周囲光を反射して表示する反射ディスプレイの開発も行われている。
【０００４】
特許文献１には、表示装置において、外光の明るさに応じて輝度や色調を調整し、部分ごとに表示装置の輝度を変化させたり、物の影になって外光の照度が低くなった場合に、該当箇所の輝度を下げて表示させる技術が開示されている。
【先行技術文献】
【特許文献】
【０００５】
【特許文献１】特開２０１１−４８１９６号公報
【発明の概要】
【発明が解決しようとする課題】
【０００６】
従来技術や特許文献１に開示されている技術は、外光の明るさに応じて輝度や色調を調整して、表示装置の輝度を変化させることについては記載されているものの、見やすさや省電力の観点から輝度を調整することが記載されているに留まっている。特許文献１には、実物の紙に文字を書いているような雰囲気を提供することができるという記載はあるものの、これについても、ペンの影になる領域に含まれている絵素の輝度を下げることによって、ペンの影が映り込んでいるように見せることが示されているだけであって、物の影になって外光の照度が低くなった場合に、低くなった外光の照度に合わせて該当箇所の輝度を下げて表示させる点に変わりはない。
【０００７】
また、外光などの周囲光を反射して表示する反射ディスプレイにおいても、カラー表示にすると、３原色のカラーフィルタによる光吸収などで反射光が大きく減り、印刷媒体に
比べると視認性が著しく低下するおそれがある。
【０００８】
そこで本発明は、印刷表示媒体の光学特性を再現する表示装置を提供し、あたかも表示装置が紙のような印刷媒体であるかのような感覚を与え、視認者に対して見慣れた印刷媒体であるかのような表示を行って、違和感なく情報を伝えることを目的とする。
【課題を解決するための手段】
【０００９】
本発明の表示装置は、表示パネルと、少なくとも１つの光センサとを備え、印刷表示媒体の外光に対する拡散反射光を再現するために、表示パネル内の特定領域において、画素から出射される光束が、所定の割合の拡散反射率で制御されることを特徴とする。
上記の構成によれば、画素から出射される光束が、所定の割合の拡散反射率で制御されていることによって、表示装置によって、印刷表示媒体の拡散反射光を再現して、表示装置が紙のような印刷媒体であるかのような感覚を与えることが可能となる。
【００１０】
また、拡散反射率は１以下の値として定めることもできる。表示装置における光束の出射量に比べて、紙などの印刷媒体の出射量は少なくなることが一般的であるため、拡散反射率の値を１以下とすることによって、よりよく拡散反射光の制御を行うことが可能となる。
【００１１】
さらに、光センサを３原色の光を個別に検知可能として、拡散反射率を３原色の光ごとに定め、それらの拡散反射率に基づいて画素から出射される光束を制御するようにしてもよい。これにより、さまざまな種類の紙などの印刷媒体における光拡散、分光吸収が３原色の色ごとに考慮された各色の拡散反射率を定めて、その拡散反射率に基づいて光束を制御することができ、より細やかな拡散反射光の制御を行うことが可能となる。
【００１２】
また、光センサは２次元のアレイとして配置するようにしてもよい。これにより、表示パネルへの入射光束の領域ごとの分布を適切に反映させることが可能となる。また、配置箇所としては、後方基板の面、前方基板の面、他の透明基板の面等、種々の箇所を選択することが可能である。
【００１３】
また、画素の光センサが設けられる面に黒色吸収部を形成してもよい。これにより、外光を検出する光センサの障害となる表示光を遮光することが可能となる。
【００１４】
さらに、光センサの受光面に３原色用のカラーフィルタを設けるようにしてもよい。この際には、画素の３原色用のカラーフィルタと同等のカラーフィルタを用いるようにすることが好ましい。これにより、光センサの受光面における感度が画素の感度と同様のものとすることが可能となる。
【００１５】
また、表示パネルに反射抑制層やアンチグレア層を積層されるようにしてもよい。これにより、紙などの印刷表示媒体では生じないが、通常の表示装置では生じる正反射光を抑制することが可能となる。
【００１６】
さらに、画素の放射光強度の角度依存性が、ランベルトの余弦法則に基づき、完全拡散板の均等拡散分布になる、すなわち輝度に角度依存性がない（輝度が等方的である）、もしくは輝度の半値角（正面輝度の半分の値となるまでの角度）が全角で１２０°以上と広く、基板面垂直方向からなだらかに減少する配光分布を有するようにしてもよい。これにより、より紙などの印刷表示媒体の光学特性を再現することが可能となる。また、液晶素子を使用する場合、光源となるバックライトを同様の配光分布としてもよい。
【発明の効果】
【００１７】
本発明により、印刷表示媒体の光学特性を再現する表示装置を提供し、あたかも表示装置が紙のような印刷媒体であるかのような感覚を与えることができる。
【図面の簡単な説明】
【００１８】
【図１】本発明の実施形態にかかる液晶表示装置の構成を示すブロック図である。
【図２】液晶パネルの詳細な構成を示す図である。
【図３】液晶パネルの断面とバックライトを示す図である。
【図４】画素と光センサとの関係を示す図である。
【図５】液晶パネルにおける、入射した光の強度と、光センサの出力信号や、印刷表示媒体の反射光の強度の関係を示す図である。
【図６】液晶パネルの構造の変形例である。
【図７】ランベルト配光に近似したバックライトと液晶素子を用いた表示実験の画像である。
【発明を実施するための形態】
【００１９】
以下、本発明の実施形態を図に基づいて説明する。図１は、本発明の実施形態にかかる液晶表示装置の構成を示すブロック図である。液晶表示装置１０は、液晶パネル１１、画像処理部１２、Ａ／Ｄ変換器１３、バックライト電源回路１４、及びバックライト１５を備えている。液晶パネル１１は、パネル駆動回路１７と表示領域１８を含み、表示領域１８は、後述するように、２次元状に配置された複数の画素回路と複数の光センサを備えている。
【００２０】
液晶表示装置１０の画像処理部１２には、外部から表示データＤ１と出力制御信号ＯＣが入力され、画像処理部１２内において表示データ処理が行われ、表示データＤ２が液晶パネル１１に出力される。表示データＤ２は液晶パネル１１のパネル駆動回路１７に入力され、パネル駆動回路１７は、表示データＤ２に基づいて表示領域１８の画素回路に書き込みを行う。これにより、表示領域１８には画像が表示される。
【００２１】
バックライト１５はＬＥＤで構成され、液晶パネル１１の背面から背面光としての光を照射する。バックライト電源回路１４は、画像処理部１２から出力された制御信号に基づいて、バックライト１５への電源の供給や遮断を行う。また、後述するように、光センサからの信号に基づいて、液晶パネル１１の駆動制御やバックライト１５の制御も行う。バックライト１５は、白色ＬＥＤで構成されているが、赤色、緑色、青色のＬＥＤを組み合わせて構成することも可能である。
【００２２】
パネル駆動回路１７では、液晶パネル１１の画素回路に電圧を書き込む動作を行う。また、それとともに液晶パネル１１の光センサ２（図１では図示せず）から受光量に応じた電圧を読み出す動作も行う。光センサから出力された信号ＳＳは、液晶パネル１１の外部に出力され、Ａ／Ｄ変換器１３に入力される。Ａ／Ｄ変換器１３は光センサ２からアナログで出力された信号を、デジタル信号に変換する。画像処理部１２は、Ａ／Ｄ変換器１３から出力されたデジタル信号に基づき、後述する制御によって液晶パネル１１の駆動制御やバックライト１５の制御を行う。
【００２３】
図２は、液晶パネル１１の詳細な構成を示す図である。表示領域１８の画素アレイは、ｍ本の走査信号線Ｇ１〜Ｇｍ、３ｎ本のデータ信号線Ｓｒ１〜Ｓｒｎ、Ｓｇ１〜Ｓｇｎ、Ｓｂ１〜Ｓｂｎを備えており、走査信号線とデータ信号線の交点にｍ×３ｎ個の画素回路が形成されている。さらに、表示領域１８の画素アレイには、各画素回路に対応した光センサ２、センサ読み出し線Ｒｗ１〜Ｒｗｍと、センサ線Ｓｒｗ１〜Ｓｒｗｎ、Ｓｇｗ１〜Ｓｇｗｎ、Ｓｂｗ１〜Ｓｂｗｎを備えている。
【００２４】
走査信号線Ｇ１〜Ｇｍは、それぞれ平行に配置される。データ信号線Ｓｒ１〜Ｓｒｎ、Ｓｇ１〜Ｓｇｎ、Ｓｂ１〜Ｓｂｎは、いずれも走査信号線Ｇ１〜Ｇｍと直交するようにたがいに平行に配置され、走査信号線Ｇ１〜Ｇｍとデータ信号線Ｓｒ１〜Ｓｒｎ、Ｓｇ１〜Ｓｇｎ、Ｓｂ１〜Ｓｂｎの交点には画素回路１が設けられる。画素回路１は、走査信号線と平行な方向にｍ個ずつ、データ信号線と平行な方向に３ｎ個ずつ設けられ、２次元状に配列される。データ信号線と平行な方向には、順に赤色、緑色、青色のカラーフィルタを設けて、Ｒ（赤色）画素回路１ｒ、Ｇ（緑色）画素回路１ｇ、Ｂ（青色）画素回路１ｂを順に構成し、３種類の画素回路で１つの画素を構成する。
【００２５】
画素回路１は、ＴＦＴ３と液晶容量４を備えている。ＴＦＴ３のゲート端子は、走査信号線に接続され、ソース端子はデータ信号線のいずれかに接続される。また、ドレイン端子は液晶容量の電極に接続される。また、ドレイン端子が接続された電極とは異なる電極には、共通電圧が印加される。
【００２６】
表示領域１８の周辺には、走査信号線駆動回路３１、データ信号線駆動回路３２、センサ行駆動回路３３、センサ列駆動回路３４やスイッチ（３５，３６）等が設けられる。走査信号線駆動回路３１、データ信号線駆動回路３２、センサ行駆動回路３３、センサ列駆動回路３４は、図１におけるパネル駆動回路１７に相当する。
データ信号線駆動回路３２は、３ｎ本のデータ信号線に対応して３ｎ個の出力端子を有する。それぞれデータ信号線駆動回路３２とデータ線の間にはスイッチが設けられている。
【００２７】
画素回路１の輝度は、画素回路１に書き込まれる電圧によって定まる。画素回路１への電圧の書き込みは、走査信号線Ｇｉ（ｉは１からｍの整数）に、ＴＦＴ３をオンにするためのハイレベル電圧を印加し、データ信号線Ｓｘｊ（ｘはｒ，ｇ，ｂのいずれか。ｊは１からｎの整数）に書き込むべき電圧を印加すればよい。表示データＤ２に応じた電圧を画素回路１に書き込むことにより、それぞれの画素の輝度を所望のレベルに設定することが可能となる。
【００２８】
図３は、液晶パネル１１の断面とバックライト１５を示す図である。液晶パネル１１は、２枚のガラス基板４１ａ、４１ｂの間に液晶層４２を挟み込んだ構造となっている。ガラス基板４１ａには３色のカラーフィルタ４３ｒ、４３ｇ、４３ｂ、黒色吸収部４４、対向電極４５が設けられている。また、ガラス基板４１ｂには画素電極４６、データ信号線４７が設けられている。さらに、この例においてはガラス基板４１ｂに光センサ２も設けられている。光センサ２内のフォトダイオード６は、画素電極４６の近傍に設けられている。ガラス基板（４１ａ，４１ｂ）の、互いに対向する面には配向膜４８が設けられ、配向膜４８が設けられるのと反対側の面には偏光板４９が設けられる。図３においては、ガラス基板４１ａ側の面が表面となり、ガラス基板４１ｂ側の面が背面となる。背面側でありガラス基板４１ｂ側には、バックライト１５が設けられる。なお、図３においては、光センサ２はガラス基板４１ｂ側の画素電極４６の近傍に設けられているが、ガラス基板４１ａ側の、ガラス基板４１ｂと対向する面に設けることもできるし、ガラス基板４１ａまたはガラス基板４１ｂの側面部に設けるようにすることもできる。
【００２９】
図２に示された例では、光センサ２は１つの画素回路に対して１つ設けられており、フォトダイオード６を含んでいる。フォトダイオード６のアノード電極には、センサ読み出し線Ｒｗｉが接続され、フォトダイオード６のカソード電極には、センサ線（Ｓｒｗｊ，Ｓｇｗｊ，Ｓｂｗｊ（ｊは１からｎの整数））が接続されている。フォトダイオード６には、センサ列駆動回路１４からセンサ線（Ｓｒｗｊ，Ｓｇｗｊ，Ｓｂｗｊ（ｊは１からｎの整数））に逆バイアス電圧が印加されると、入射光量に応じた電流がフォトダイオード６に流れることによって、その分フォトダイオード６のカソード端子の電圧が低下する。これにより、光センサ２で検知された光量を求めることが可能となる。
【００３０】
また、図２に示された例においては、マトリックス回路部において配線交差部にフォトダイオードを接続する単純な構成とされているが、ライン選択用の電界効果トランジスタ、増幅用トランジスタ、リセット用トランジスタ、転送用トランジスタを交差部に設けて、トランジスタの出力にフォトダイオードを接続する構成としてもよい。このような接続構成とすることにより、個々のフォトダイオードから、電気ノイズの少ない明瞭な電流や電圧などの光検出信号を得ることが可能となる。電界効果トランジスタに用いられる半導体としては、既存の薄膜トランジスタに用いられるアモルファスや多結晶形のＳｉ、金属酸化物などの半導体を用いることが可能である。
【００３１】
液晶パネル１１においては、背面側に配置されたバックライト１５によって直接的に出射光が放射され、画素回路１における制御によって輝度が制御されている。一方、紙などの印刷表示媒体には、液晶パネルにおけるバックライトのような発光光源を備えていないため、外部から入射された光は紙の表面において反射され、拡散反射光として観察者の目に入ることとなる。そのため、一般的には、液晶パネルにおけるバックライト等による直接的な出射光と比較して、出射される光量は少なくなり、外部から入射される光量に対しても低い光量となる。
【００３２】
本発明では、これらの液晶パネルと紙などの印刷表示媒体との出射光の違いに着目し、液晶パネルにおけるバックライト等による直接的な出射光を、紙における拡散反射光と同等のものになるように制御することによって、液晶パネルによる表示を行っているにもかかわらず、紙における印刷のように見せるように表示することを特徴としている。
【００３３】
図５（ａ）は、液晶パネル１１における、単位面積に入射した光の強さを示す光強度と、光センサ２から出力される電圧信号との関係を示すグラフである。このグラフに示されているように、光強度と電圧信号とは、オフセット電圧（Ｖｓ）が存在するものの、概ね比例関係となっている。この関係に基づき、実際の測定によってパラメータを求め、求めたパラメータに基づいて、電圧信号に対する光強度を算出することが可能となる。
【００３４】
図５（ｂ）は、単位面積に入射した光の強さを示す光強度と、そのときの紙などの印刷表示媒体の強度との関係を示すグラフである。このグラフに示されているように、光強度と反射光の強度との関係は、概ね比例関係にある。この関係に基づき、実際の測定によってパラメータを求め、求めたパラメータに基づいて、光強度に対する反射光の強度を算出することが可能となる。この比例定数は、先に説明したように概ね１以下の数値となる。
【００３５】
これらの、外光の入射量の検知にあたっては、液晶パネルにおける画素の駆動にあたっては、画素ごとに設けられている光センサの出力の平均値を取って行っているが、それぞれの光センサからの出力を用いて、画素ごとに拡散反射率を乗じて求めるようにすることも可能である。
【００３６】
また、光センサ２は図４に示されているように、各画素回路ごとに設けられる例で説明したが、画素ごとに１つ設けるようにしてもよいし、さらに多くの画素ごとに１つ設けるようにしてもよい。また、液晶パネル全体で１つの光センサを設けたり、液晶パネルの周辺部に複数の光センサを設けるようにすることも可能である。
図４に示されているように、光センサを赤色、緑色、青色の各サブ画素ごとに設ける場合、各光センサに対して、画素に設けられているカラーフィルタと同じものを用いて、赤色、緑色、青色の３原色を画素における感度と同程度で個別に検知できるようにすることもできる。そのように構成した場合、３原色ごとに、あらかじめ紙などの印刷表示媒体について、印刷表示媒体の種類に応じた拡散反射率を、実際に印刷表示媒体に光を照射して、それに対する拡散反射光の値に基づいて求めておく。
【００３７】
また、一般に拡散反射率（全光線反射率）については、コピー用紙などに用いられる白色紙が８５〜９１％、新聞紙が４０〜５０％となることが知られており、それらの拡散反射率の値を使用すれば、紙質の違いも容易に表現できる。また、それらの拡散反射率の値を複数記憶しておき、適宜切り替えることも有用である。さらには、同じ白色であっても、白布の拡散反射率は６０〜７０％、白色タイルが７０〜８０％であるため、それらの拡散反射率の値を用いることで、紙以外の表面も再現可能である。また、本発明において３原色のカラーセンサーと表示画素で構成するのであれば、紙において３原色毎に拡散反射率を求めて使用する必要がある。これにより、紙の明るさだけでなく、色合いも容易に再現できる。
【００３８】
また、液晶パネル側においても、外光の入射量と光センサの出力との関係、画素の駆動状態と画素からの光の放射量との関係を３原色ごとにあらかじめ求めておく。そして、３原色個別に、液晶パネルにおける画素からの光の放射量が、光センサで検知される外光の入射量に対して、特定の印刷表示媒体における拡散反射率を乗じた拡散反射率の光の放射量となるように、液晶パネルにおける画素の駆動を行う。
【００３９】
具体的な液晶パネルにおける事前調整・校正と駆動方法の例について、以下に説明する。使用を想定する標準白色照明を最大照度で照射して、そのときの光センサの入力と出力の最大値を設定する。光センサの出力値は、光センサの光強度に比例させる。標準白色光としては、国際照明委員会によって定義された白色標準光源であるＤ５０光源やＤ６５光源を用いるとよい。これらの光源による照度の下、市販の標準拡散白色板の拡散反射率を理想的な１００％とした上で、輝度＝照度／πとして輝度を計算して求めるか、もしくは標準拡散白色板の輝度を輝度計による測定で求める。そして、このようにして求めた輝度の値とディスプレイの輝度が一致するように３原色駆動信号を調整する。この時の３原色の駆動信号は、各色の最大値として対応付ける。
【００４０】
また、ディスプレイの駆動信号が光センサの出力信号に比例して変化するように設定する。これらの調整により、照明光の強度が変わっても３原色光のバランス、すなわち色度・色温度・色合いが、ディスプレイの表示でも保持される。なお、ディスプレイの輝度調整にあたっては、３原色光のバランスを一定に保ちながら駆動信号を調整してもよいが、省電力化のためバックライトの光源（ＬＥＤなど）を調整してもよい。
【００４１】
その一方、模擬したい紙の３原色反射率を測定しておく。紙の反射率は、標準拡散白色板に代えて紙を用いた場合の輝度の低下比率とおおよそ考えてもよい。紙の３原色ごとの反射率が既知であれば、その反射率の比率（１以下）を、標準拡散白色板を使用した時の最大駆動信号に掛けることによって、ディスプレイの駆動信号を計算で求めることができる。
例えば、反射率が３原色でいずれも等しく８０％のコピー用白色紙の反射光を再現する場合、３原色の駆動信号にそれぞれ８０％をかけることによって、実際に駆動する信号を求めることができる。なお、コピー用白色紙の反射光をランベルト配光に仮定するならば、コピー用白色紙の輝度は、輝度＝反射率×照度／πの計算式から、おおよそ近似することもできる。
【００４２】
これにより、使用環境の照明環境が変わっても、ディスプレイの３原色輝度を自動的に決定して制御できる。例えば、光を標準白色光から、明るさや色温度の異なる照明光に切り換えれば、光センサの３原色出力の変化に応じてディスプレイの３原色表示も連動するため、ディスプレイ上においても白色紙の輝度と色合いを同時に再現できる。
さらに、ディスプレイにおいてコピー用白色紙以外の他の紙（白がくすんだ紙や、色つきの紙など）の反射光を再現する場合、それぞれの紙の３原色の反射率を、あらかじめ求められた値や、輝度測定を行って値を求め、それらの拡散反射率を３原色の表示の最大駆動レベルにそれぞれ掛け合わせることによって、３原色ごとの駆動レベルを求めることができる。これにより、種々の拡散反射率の紙の反射光を、ディスプレイの表示光として再現できる。
【００４３】
図６は、図３における液晶パネルの構造の変形例である。図６の例においては、偏光板４９の外側の面に正反射光を抑制するためのアンチグレア層が設けられている。紙などの印刷表示媒体においては、液晶パネルとは異なり、表面における正反射光が存在しないため、液晶パネルの表面にアンチグレア層を設けて正反射光を抑制することによって、表示をより紙などの印刷表示媒体に近づけるようにすることが可能となる。また、図６の例では偏光板４９の外側の面にアンチグレア層を設けるようにしているが、アンチグレア層に代えて反射抑制層を設けるようにすることも可能である。
【００４４】
紙や布によっては、表面に模様等が施されているものもある。そのようなものの場合、模様の有無や模様の形状等によって、表面の拡散反射率が異なる場合がある。このような場合、紙や布における領域ごとの拡散反射率を、模様に合わせて細かく事前に求めておき、液晶パネルにおける表示にあたって、模様に合わせて各領域ごとに異なる拡散反射率を乗じることによって、紙や布の質感を再現しつつ、模様についても輝度の変更によって表示することが可能となる。
【００４５】
なお、これらの実施形態の説明においては、液晶を用いた表示装置で説明を行ってきたが、これらは液晶表示装置に限ったものではなく、有機ＥＬ等の自発光型の表示装置においても適用可能である。自発光型の表示装置の場合も、液晶表示装置の場合の駆動と同様に、発光する光束を外光の入射光束と拡散反射率の積で求めて駆動すればよい。
【００４６】
表示装置の配光分布は、ランベルト配光が理想的であるが、コピー用白色紙の輝度の半値角を測定したところ、おおよそ１６０°であり、表示面垂直方向からなだらかに減少する配光分布を有していた。そこで、輝度が等方的なランベルト配光に近くなるようにＬＥＤ光を拡散したバックライトボックス（輝度の半値角は１６０°）を試作して、市販の液晶素子と積層して表示実験を行った。その結果、正面または斜め方向から見ても、カラー印刷紙と見分けが付かない高画質の表示画像が得られることを確認した。室内照明のもと、試作装置と印刷画像を比較して観察した結果を図７に示す。
【００４７】
また、既存の導光板バックライトに、強い拡散板を積層してもランベルト分布に近い配光分布（輝度の半値角は１６０°）が得られることを確認している。この場合、拡散板の拡散効果が強くなるほど、ランベルト配光に近くなるが、輝度が低下するおそれがある。さらに、偏光板、液晶パネル、光拡散フィルムなどとの積層関係において、間に空気層が存在するとフレネル反射が生じて、入射角の大きな傾いた光が全反射して外に放出されずに表示のための光に寄与しないため、この場合も輝度が低下して暗くなることがある。これを防止するためには、各種の光学部材の積層において貼合やマッチングオイル注入などの密着構造で構成することが好ましい。これにより、斜め出射光強度の低下を防ぐことでき、フレネル反射による輝度の半値角の低下を大幅に抑制できる。
【００４８】
その一方、バックライトをランベルト配光に近づけるため光拡散効果を増やして配光分布を拡げるほど、正面輝度が低下する問題が生じる。そのため実用的な観点からは、表示装置もしくはバックライトの輝度の半値角は１２０°以上が望ましい。バックライトに積層する液晶素子については、インプレーンスイッチング液晶方式（ＩＰＳ）や、垂直配向液晶方式（ＶＡ）のような広視野角特性が得られる表示動作方式を用いることが望ましい。
【符号の説明】
【００４９】
１    画素回路
２    光センサ
６    フォトダイオード
１０  液晶表示装置
１１  液晶パネル
１２  画像処理部
１３  Ａ／Ｄ変換器
１４  バックライト電源回路
１５  バックライト
１７  パネル駆動回路
１８  表示領域
３１  走査信号線駆動回路
３２  データ信号線駆動回路
３３  センサ行駆動回路
３４  センサ列駆動回路
４１  ガラス基板
４２  液晶層
４３  カラーフィルタ
４４  黒色吸収部
４５  対向電極
４６  画素電極
４８  配向膜
４９  偏光板
【図１】
2020086457.tif 000003
【図２】
2020086457.tif 000004
【図３】
2020086457.tif 000005
【図４】
2020086457.tif 000006
【図５】
2020086457.tif 000007
【図６】
2020086457.tif 000008
【図７】
2020086457.tif 000009